(57)【要約】  対象物用のフレームは、前記対象物と取り外し可能に係合し、前記対象物を支持し、又は前記対象物と共に動作するように配置されたフレーム体を備え、前記フレーム体は、１つ又は複数の取り外し可能な機能モジュールを備え、前記１つ又は複数の取り外し可能な機能モジュールの各々は、前記フレームが前記対象物と係合し、前記対象物を支持し、又は前記対象物と共に動作しているときに、前記フレーム体又は前記対象物に処理又はアクティブ機能を与えるように配置されている。
2016510143.tif 000002
【特許請求の範囲】
【請求項１】
対象物用のフレームであって、前記対象物と取り外し可能に係合し、前記対象物を支持し、又は前記対象物と共に動作するように配置されたフレーム体を備え、前記フレーム体は、１つ又は複数の取り外し可能な機能モジュールを備え、前記１つ又は複数の取り外し可能な機能モジュールの各々は、前記フレームが前記対象物と係合し、前記対象物を支持し、又は前記対象物と共に動作しているときに、前記フレーム体又は前記対象物に処理又はアクティブ機能を与えるように配置されている、フレーム。
【請求項２】
前記１つ又は複数の取り外し可能な機能モジュールは更に、前記フレーム体又は前記対象物に前記処理又はアクティブ機能を与えるように互いにインタラクトするよう配置されている、請求項１に記載のフレーム。
【請求項３】
前記１つ又は複数の取り外し可能な機能モジュールの各々は、モジュール式の機能配置を与えるように互いに相互通信するよう配置されている、請求項１又は２に記載のフレーム。
【請求項４】
前記フレーム体は、前記フレーム体又は前記対象物に前記処理又はアクティブ機能を与えるように前記フレーム体に配電される電流により電力供給される、請求項１乃至３のいずれか一項に記載のフレーム。
【請求項５】
前記取り外し可能な機能モジュールは、前記フレーム体に電流を配電するように動作可能であるパワーモジュールを備える、請求項１乃至４のいずれか一項に記載のフレーム。
【請求項６】
前記パワーモジュールは、前記フレーム体に内蔵された又は取り付けられた電流発生装置である、請求項５に記載のフレーム。
【請求項７】
前記１つ又は複数の取り外し可能な機能モジュールは、処理モジュール、コントローラモジュール、通信モジュール、ディスプレイモジュール、ストレージモジュール、入力モジュール、出力モジュール、フレームスタンド、又は空間占有ピースのうちの少なくとも１つを含む、請求項１乃至６のいずれか一項に記載のフレーム。
【請求項８】
前記１つ又は複数の取り外し可能な機能モジュールは、前記フレーム体を嵌合するように寸法決めされたフレーム嵌合可能なアイテムを含む、請求項１乃至７のいずれか一項に記載のフレーム。
【請求項９】
前記フレーム体に前記フレーム嵌合可能なアイテムを取り外し可能に係合するように配置された取り付け手段を更に備える、請求項８に記載のフレーム。
【請求項１０】
前記取り付け手段は、前記フレーム体又は前記フレーム嵌合可能なアイテムの少なくとも１つの１つ又は複数の位置に設けられ、前記１つ又は複数の位置は、端部、面、又はスポットのうちの１つを含む、請求項９に記載のフレーム。
【請求項１１】
前記取り付け手段は、可逆的な舌及び溝嵌合部、柔軟な締結部、粘着物質、剥離可能な接着部を有する有機媒体、磁気媒体、又は電磁媒体のうちの少なくとも１つを備える、請求項９又は１０に記載のフレーム。
【請求項１２】
前記１つ又は複数の取り外し可能な機能モジュールは、前記フレーム体を嵌合する寸法を有するパンに含まれる、請求項８乃至１１のいずれか一項に記載のフレーム。
【請求項１３】
前記１つ又は複数の取り外し可能な機能モジュールは、前記フレーム体を嵌合する寸法を有する構造にスリーブ付けされている、請求項８乃至１１のいずれか一項に記載のフレーム。
【請求項１４】
前記フレーム体は、前記フレーム体又は前記対象物に前記処理又はアクティブ機能を与えるように前記フレーム嵌合可能なアイテムから配電される電流により電力供給される、請求項８乃至１３のいずれか一項に記載のフレーム。
【請求項１５】
前記フレーム体に取り外し可能に取り付けるように配置された外部モジュール式構造を更に備え、前記外部モジュール式構造は、前記１つ又は複数の外部取り外し可能な機能モジュールを備えるように配置され、前記１つ又は複数の外部取り外し可能な機能モジュールの各々は、前記フレーム体又は前記対象物に前記処理又はアクティブ機能を与えるように配置されている、請求項１乃至１４のいずれか一項に記載のフレーム。
【請求項１６】
前記１つ又は複数の外部取り外し可能な機能モジュールは、パワーモジュール、処理モジュール、コントローラモジュール、通信モジュール、ディスプレイモジュール、ストレージモジュール、入力モジュール、出力モジュール、フレームスタンド、又は空間占有ピースのうちの少なくとも１つを含む、請求項１５に記載のフレーム。
【請求項１７】
前記フレーム体は、取り外し可能なスタンドに取り外し可能に取り付けられ、前記取り外し可能なスタンドは、一部分又は全体のフレーム体の大きさの変更を適応させるよう手動で又は自動的に拡張可能である、請求項１乃至１６のいずれか一項に記載のフレーム。
【請求項１８】
電流を配電するように動作可能なケーブルを更に備え、前記ケーブルは、１つ又は複数のコネクタと、前記ケーブルをカプセル化するように配置されるカプセル化部とを備える、請求項１乃至１７のいずれか一項に記載のフレーム。
【請求項１９】
前記１つ又は複数のコネクタ及び前記ケーブルは互いに分離可能である、請求項１８に記載のフレーム。
【請求項２０】
前記カプセル化部は電子的に制御可能である、請求項１８又は１９に記載のフレーム。
【請求項２１】
前記カプセル化部は、電圧により変化するよう動作可能な発光部、発光ダイオード、又は電気化学材料の少なくとも１つを含む、請求項１８乃至２０のいずれか一項に記載のフレーム。
【請求項２２】
ユーザ識別に関連して前記フレームをパーソナライズするユーザを識別するよう配置された識別モジュールを更に備える、請求項１乃至２１のいずれか一項に記載のフレーム。
【請求項２３】
前記ユーザ識別は、機械可読識別子又は光識別子のうちの少なくとも１つを含む、請求項２２に記載のフレーム。
【請求項２４】
請求項１乃至２３のいずれか一項に記載のフレームとインタラクトする方法であって、
−  仮想マシンを構成するように通信ネットワークを介して１つ又は複数のフレームを接続し、
−  前記１つ又は複数のフレーム又は対象物の前記処理又はアクティブ機能を操作するように前記仮想マシンとインタラクトする、
ステップを含む方法。
【請求項２５】
前記仮想マシンを構成するように前記通信ネットワークを介して処理モジュールに前記１つ又は複数のフレームを接続するステップを更に含む、請求項２４に記載のフレームとインタラクトする方法。
【請求項２６】
前記仮想マシンの少なくとも一部は、前記１つ又は複数のフレームの少なくとも１つに常駐する、請求項２４又は２５に記載のフレームとインタラクトする方法。
【請求項２７】
前記仮想マシンは、前記仮想マシン、前記１つ又は複数のフレーム又は前記対象物のうちの少なくとも１つにおけるデータの提示の前に、前記データを処理するように配置された少なくとも１つの分散コンピューティングネットワークと通信するよう動作可能である、請求項２３乃至２６のいずれか一項に記載のフレームとインタラクトする方法。
【請求項２８】
前記分散コンピューティングネットワークの少なくとも一部は、前記１つ又は複数のフレーム及び／又は前記仮想マシンに常駐する、請求項２７に記載のフレームとインタラクトする方法。
【請求項２９】
前記フレーム体は、前記１つ又は複数の取り外し可能な機能モジュールを係合する、支持する、又は収容するように配置されたパン又はスリーブを備える、請求項１乃至１１のいずれか一項に記載のフレーム。
【請求項３０】
前記フレーム体は、前記フレーム体と前記対象物との間の無線通信ネットワークを介して前記対象物と共に動作するように配置されている、請求項１乃至２９のいずれか一項に記載のフレーム。
【請求項３１】
前記フレーム体は、物理的接触又は係合なしに前記対象物と共に動作するように配置されている、請求項３０に記載のフレーム。
【請求項３２】
前記無線通信ネットワークは、ブルートゥース（登録商標）通信ネットワーク、Ｗｉ−Ｆｉ通信ネットワーク、近距離無線通信（ＮＦＣ）ネットワーク、赤外線通信ネットワーク、又は無線周波数（ＲＦ）通信ネットワークのうちの少なくとも１つを含む、請求項３１又は３２に記載のフレーム。
【発明の詳細な説明】
【技術分野】
【０００１】
本発明は、対象物（object）用のフレームに関し、特に、製造後に変更可能な電子装置のためのモジュール式フレームに関するが、それに限定されない。
【背景技術】
【０００２】
電子装置などの多くの対象物において、フレーム又はフレーム構造が、電子装置の部品を支持又は収容するように含まれることがある。フレームは、装置の内部部品を保護するために用いられることもある。
【０００３】
メディアに関連する装置、例えば、デジタル・フォト・フレームは、内蔵型表示画面に画像などのメディアを表示するように用いられることがある。これらの装置は、表示画面でメディアデータを処理及び提示するように装置の内部メモリに記憶された命令コード又はソフトウェアプラットフォームによりプログラムされることがある。
【０００４】
これらの対象物又は装置は、製造プロセスで、フレーム、ハードウェア、及びソフトウェア構成要素における高い均一性を伴って大量生産されることがある。これらのフレーム、ハードウェア、及びソフトウェア構成要素は、製造プロセスが終了した後には、変更可能でもなく、カスタマイズ可能でもない。
【発明の概要】
【課題を解決するための手段】
【０００５】
本発明の第１の態様により、対象物用のフレームであって、対象物と取り外し可能に係合し、対象物を支持し、又は対象物と共に動作するように配置されたフレーム体（frame body）を備え、フレーム体は、１つ又は複数の取り外し可能な機能モジュールを備え、１つ又は複数の取り外し可能な機能モジュールの各々は、フレームが対象物と係合し、対象物を支持し、又は対象物と共に動作しているときに、フレーム体又は対象物に処理（processing）又はアクティブ機能を与えるように配置されている、フレームが提供される。
【０００６】
第１の態様の実施形態では、１つ又は複数の取り外し可能な機能モジュールは更に、フレーム体又は対象物に処理又はアクティブ機能を与えるように互いにインタラクトするように配置される。
【０００７】
第１の態様の実施形態では、１つ又は複数の取り外し可能な機能モジュールの各々は、モジュール式の機能配置を与えるように互いに相互通信するように配置される。
【０００８】
第１の態様の実施形態では、フレーム体は、フレーム体又は対象物に処理又はアクティブ機能を与えるようにフレーム体に配電（deliver）される電流により電力供給される。
【０００９】
第１の態様の実施形態では、取り外し可能な機能モジュールは、フレーム体に電流を配電するように動作可能なパワーモジュールを含む。
【００１０】
第１の態様の実施形態では、パワーモジュールは、フレーム体に内蔵された又は取り付けられた電流生成装置である。
【００１１】
第１の態様の実施形態では、１つ又は複数の取り外し可能な機能モジュールは、処理モジュール、コントローラモジュール、通信モジュール、ディスプレイモジュール、ストレージモジュール、入力モジュール、出力モジュール、フレームスタンド、又は空間占有ピース（space-occupying piece）のうちの少なくとも１つを含む。
【００１２】
第１の態様の実施形態では、１つ又は複数の取り外し可能な機能モジュールは、フレーム体を嵌合するように寸法決めされたフレーム嵌合可能なアイテムを含む。
【００１３】
第１の態様の実施形態では、フレーム体にフレーム嵌合可能なアイテムを取り外し可能に係合するように配置された取り付け手段を更に備える。
【００１４】
第１の態様の実施形態では、取り付け手段は、フレーム体又はフレーム嵌合可能なアイテムの少なくとも１つの１つ又は複数の位置に設けられ、１つ又は複数の位置は、端部（edge）、面（surface）、又はスポットのうちの１つを含む。
【００１５】
第１の態様の実施形態では、取り付け手段は、可逆的な舌及び溝嵌合部（reversible tongue-and-groove fitting）、柔軟な締結部（soft fastener）、粘着性物質、剥離可能な接着部を有する有機媒体、磁気媒体、又は電磁媒体のうちの少なくとも１つを備える。取り付け手段はまた、複数のアイテム、対象物、又は部品を取り外し可能に係合するように配置される任意の他の既知の取り付け手段であってもよい。
【００１６】
第１の態様の実施形態では、１つ又は複数の取り外し可能な機能モジュールは、フレーム体を嵌合する寸法を有するパン（pan）に含まれる。
【００１７】
第１の態様の実施形態では、１つ又は複数の取り外し可能な機能モジュールは、フレーム体を嵌合する寸法を有する構造にスリーブ付けされる。
【００１８】
第１の態様の実施形態では、フレーム体は、１つ又は複数の取り外し可能な機能モジュールを係合する、支持する、又は収容するように配置されたパン又はスリーブのうちの少なくとも１つである。
【００１９】
第１の態様の実施形態では、フレーム体は、フレーム体又は対象物に処理又はアクティブ機能を与えるようにフレーム嵌合可能なアイテムから配電される電流により電力供給される。
【００２０】
第１の態様の実施形態では、フレーム体に取り外し可能に取り付けるように配置された外部モジュール式構造を更に備え、外部モジュール式構造は、１つ又は複数の取り外し可能な機能モジュールを備えるように配置され、１つ又は複数の取り外し可能な機能モジュールの各々は、フレーム体又は対象物に処理又はアクティブ機能を与えるように配置される。
【００２１】
第１の態様の実施形態では、１つ又は複数の外部取り外し可能な機能モジュールは、パワーモジュール、処理モジュール、コントローラモジュール、通信モジュール、ディスプレイモジュール、ストレージモジュール、入力モジュール、出力モジュール、フレームスタンド、又は空間占有ピースのうちの少なくとも１つを含む。
【００２２】
第１の態様の実施形態では、フレーム体は、取り外し可能なスタンドに取り外し可能に取り付けられ、取り外し可能なスタンドは、一部分又は全体のフレーム体の大きさの変更を適応させるよう手動で又は自動的に拡張可能である。
【００２３】
第１の態様の実施形態では、電流を配電するよう動作可能なケーブルを更に備え、ケーブルは、１つ又は複数のコネクタと、ケーブルをカプセル化するカプセル化配置（encapsulation arrangement）とを備える。
【００２４】
第１の態様の実施形態では、１つ又は複数のコネクタ及びケーブルは互いに分離可能である。
【００２５】
第１の態様では、カプセル化部（encapsulation）は電子的に制御可能である。
【００２６】
第１の態様の実施形態では、カプセル化部は、電圧により変化するように動作可能な発光部、発光ダイオード、又は電気化学材料のうちの少なくとも１つを含む。
【００２７】
第１の態様の実施形態では、ユーザ識別に関連してフレームをパーソナライズするユーザを識別するよう配置された識別モジュールを更に備える。
【００２８】
第１の態様の実施形態では、ユーザ識別は、機械可読識別子又は光識別子のうちの少なくとも１つを含む。
【００２９】
本発明の第１の態様により、第１の態様の実施形態によってフレームとインタラクトする方法であって、
−  仮想マシンを構成するように通信ネットワークを介して１つ又は複数のフレームを接続し、
−  １つ又は複数のフレーム又は対象物の処理又はアクティブ機能を操作するように仮想マシンとインタラクトする、
ステップを含む方法が提供される。
【００３０】
第２の態様の実施形態では、仮想マシンを構成するように通信ネットワークを介して処理モジュールに１つ又は複数のフレームを接続するステップを更に含む。
【００３１】
第２の態様の実施形態では、仮想マシンの少なくとも一部は１つ又は複数のフレームのうちの少なくとも１つに常駐（reside）する。
【００３２】
第２の態様の実施形態では、仮想マシンは、仮想マシン、１つ又は複数のフレーム又は対象物のうちの少なくとも１つにおけるデータの提示の前に、データを処理するように配置された少なくとも１つの分散コンピューティングネットワークと通信するように動作可能である。
【００３３】
第２の態様の実施形態では、分散コンピューティングネットワークの少なくとも一部は、１つ又は複数のフレーム及び／又は仮想マシンに常駐する。
【００３４】
以下に、本発明の実施形態について、例示として、添付図を参照して説明される。
【図面の簡単な説明】
【００３５】
【図１】本発明の実施形態による対象物用のフレームの模式図である。
【図２】本発明の実施形態による対象物用のフレームの模式図である。
【図３Ａ】図２のフレームのコーナー、及びフレームのコーナーに設けられた可逆的な舌及び溝嵌合部の拡大図である。
【図３Ｂ】図２のフレームのコーナー、及びフレームのコーナーに設けられた接着手段の連続ストリップの拡大図である。
【図３Ｃ】図２のフレームのコーナー、及びフレームのコーナーに設けられた接着手段の複数の部分ストリップの拡大図である。
【図３Ｄ】図２のフレームのコーナー、及びフレームのコーナーに設けられた組み込まれた磁気媒体の拡大図である。
【図４Ａ】本発明の実施形態による対象物用のフレームの模式図である。
【図４Ｂ】図４Ａのフレームの複数の機能モジュールを含むパンを示す模式図である。
【図５】本発明の実施形態による対象物用のフレームの模式図である。
【図６】本発明の実施形態による、仮想マシンに関連する１つ又は複数のフレーム及び分散コンピューティングネットワークとインタラクトする方法の模式図である。
【発明を実施するための形態】
【００３６】
図１を参照するに、対象物１００用のフレーム１０２の実施形態であって、対象物１００と取り外し可能に係合し、それを支持し、又はそれと共に動作するように配置されたフレーム体１０４を備え、フレーム体１０４はフレーム１０２が対象物と係合し、それを支持し、又はそれと共に動作するときに、フレーム体１０４又は対象物１００に処理又はアクティブ機能を与えるように各々配置された１つ又は複数の取り外し可能な機能モジュール１０６を含む、実施形態が提供される。
【００３７】
この実施形態では、フレーム１０２は、フレーム体１０４と、ディスプレイアセンブリ、回路基板、又はフレーム体１０４又は対象物１００に機能を与えるように配置された他の構成要素などの少なくとも１つの取り外し可能な機能モジュールとを含む。
【００３８】
フレーム１０２は、いくつかの実施例では、対象物に所定の形状を与えるように硬い材料又は構造を備えてもよい、対象物１００に対する機械的支持部を提供することができる。フレーム１０２はまた、所定の位置において対象物１００の１つ又は複数のコンポーネントを保持するように配置されてもよい。例えば、テレビにおいて、処理及び制御モジュールは表示画面の後ろに置かれてもよく、スピーカは、表示画面の２つの側面に置かれてもよく、これらのコンポーネントは、フレーム上のいくつかの所定の開口に対し露出されたポート及びコネクタを有するテレビのフレームにより更にカプセル化される。
【００３９】
フレーム１０２はまた、対象物１００が異なる様式で設置され又は位置付けられてもよく、例えば、スタンドを含むフレームを有するテレビは平坦な面に設置されてもよく、又は、フレーム上の取り付け締結部により別の調整可能フレームに取り付けられてもよいような、調整可能な支持機構を含んでもよい。
【００４０】
機械的支持部以外に、フレーム１０２は、対象物１００の動作状態についてユーザに通知するインジケータ又は補助表示画面などの、対象物１００に機能を与える他のコンポーネントと、対象物１００の動作を制御する１つ又は複数の入力スイッチとを組み込んでもよい。フレーム１０２はまた、処理のための処理モジュールにひいては転送されてもよい画像又は映像を取り出すようにフレームに組み込まれたカメラモジュールを含んでもよい。
【００４１】
別の実施例は、そのようなウェアラブル装置のフレーム体に表示機能などの処理又はアクティブ機能を与えるように、電子コンポーネントはスマートグラス及びスマートウォッチなどのウェアラブル装置のフレーム体に含まれてもよい。
【００４２】
フレーム体１０４はまた、フレーム体と対象物との間で無線通信ネットワークを介して対象物１００と共に動作してもよい。そのような配置では、無線通信ネットワークの動作範囲内にある対象物１００から物理的に離れていつつ、フレーム体１０４が対象物１００に処理又はアクティブ機能を与えることを可能にする、フレーム体１０４と対象物１００との間の物理的接触又は係合は存在しない。好適には、無線通信ネットワークは、ブルートゥース（登録商標）通信ネットワーク、Ｗｉ−Ｆｉ通信ネットワーク、近距離無線通信（ＮＦＣ）ネットワーク、赤外線通信ネットワーク、無線周波数（ＲＦ）通信ネットワーク又は当業者に知られている任意の他の無線通信ネットワークのうちの少なくとも１つを含む。
【００４３】
用語「フレーム」は、本明細書において、関連する対象物を支持又は一体化してもよい構造的配置であることを意味し得るが、用語「フレーム」はまた、関連する対象物を必ずしも支持又は一体化しなくてもよい構造、手段又は配置の他の実施例を含んでもよく、単に関連する対象物を取り付けても又はその対象物をそれ自体と係合してもよい。いくつかの実施例では、フレームはまた、対象物用の筐体又はカバーを含んでもよく、又は、いくつかの他の実施例では、ホルダ、クリップ、又はモジュール保持ペン、スリーブなどの締結手段を含んでもよい。
【００４４】
この例示としての実施形態では、取り外し可能な機能モジュール１０６は、処理モジュール又はコントローラモジュールを備えてもよい、対象物１００のコア１１２の一部であってもよい。取り外し可能な機能モジュールは、ＳＩＭモジュール、ネットワークモジュール、ＩＰモジュール、Ｗｉ−Ｆｉモジュール、ブルートゥース（登録商標）モジュール、イーサネット（登録商標）モジュール又は近距離無線通信（ＮＦＣ）モジュールを備えてもよい他の対象物又は装置と通信するように配置された通信モジュール１１４であってもよい。取り外し可能な機能モジュール１０６は、表示画面アセンブリ、発光装置又はインジケータなどのディスプレイモジュール１１６であってもよい。取り外し可能な機能モジュール１０６は、揮発性メモリ装置又は不揮発性メモリ装置などのストレージモジュール１１８であってもよい。取り外し可能な機能モジュール１０６はまた、タッチ感応性スクリーン、ポインティング装置、キーボード、スピーカ、光イメージング装置、印刷装置などの入力装置１２０又は出力装置であってもよい。
【００４５】
いくつかの例示としての実施形態では、取り外し可能な機能モジュール１０６は、フレーム１０２又は対象物１００がスタンド１２２又はクレードル１２４上に載置されてもよいような、スタンド１２２又はクレードル１２４である。好適には、スタンド１２２又はクレードル１２４は、フレーム１０２が処理又はアクティブ機能を与えるよう動作可能であるように、対象物１００又は対象物１００のフレーム１０２に電力を仲介するように配置されてもよい。例えば、ディスプレイ１００の機器は、スタンド１２２に又はフレーム１０２を取り付けることにより構成されてもよい。好適には、スタンド１２２又はクレードル１２４は、一定の大きさであってもよく、又は、一部又は全体のフレーム１０２又は対象物１００の大きさの増減に適応するように拡張可能であってもよい。
【００４６】
更に別の例示としての実施形態では、取り外し可能な機能モジュールは、フレーム体１０４、フレーム１０２及び／又は対象物１００が処理又はアクティブ機能を与えるよう動作可能であるように、フレーム体１０４及び／又はフレーム１０２に電流を配電するよう配置されたパワーモジュール１２６である。例えば、パワーモジュール１２６は、１つ又は複数の電池、ＡＣ−ＤＣ変圧器、又は太陽電池又は燃料電池などの他の電力装置を備えるパワーパックであってもよい。
【００４７】
取り外し可能な機能モジュール１０６はまた、空間占有ピースであってもよい。空間占有ピースは、全一式のモジュール１０６のフットプリントを複製するように、各々のそのような実際のモジュール１０６がフレーム１０２、装置又はコンピュータにおいて占有する空間を満たすように、１つ又は複数の異なるモジュール１０６のそれぞれをプロテーゼのように置き換えるよう他の取り外し可能な機能モジュール１０６の形状を複製する、１つ又は複数の空きのシェルであってもよい。代替として、空間占有ピースは、軽量化モジュールが設けられたフレーム１０２が、同じ空間又は体積を満たす別の取り外し可能な機能モジュール１０６が設けられたフレームより軽量であってもよいように、軽量化モジュールとみなされてもよい。
【００４８】
１つ又は複数の取り外し可能な機能モジュール１０６の各々はまた、フレーム１０２又は対象物１００に処理及び／又はアクティブ機能を与えるように、互いにインタラクトするよう配置されてもよい。換言すれば、２つ又は３つ以上の取り外し可能な機能モジュール１０６それぞれに対する機能は、それに代えて、単一のモジュール、例えば、クレードル兼用スタンド兼用パワー・パックであるモジュールに常駐し得、なおもモジュール方式が可能でもある。
【００４９】
取り外し可能な機能モジュール１０６又は複数のモジュール１０６の個別の付加、又は、フレーム１０２又は対象物１００の補足アイテム（complementary item）に対する種々のモジュール１０６の補足、例えば、ディスプレイ１１６の機器の後部は、対象物１００におけるフレーム１０２の取り外し可能な機能モジュール１０６の分離性（separability）を実現するいくつかの例示としての実施形態で提供される取り付け手段と、補足アイテムに一体的に付加するのに十分なプレート上にモジュール１０６を一緒に配置した後に、モジュール１０６の付加が１つずつであるか又は集合的であるかとに関連して、永続的締結部、又は、舌及び溝嵌合部２０２、ある形状の接着部２１２又は柔軟な締結部などの非永続的締結部を用いて実現され得る。
【００５０】
代替として、１つ又は複数の取り外し可能な機能モジュール１０６の各々は、モジュール機能配置を備えるように、互いに相互通信するよう配置される。換言すれば、各そのようなモジュール１０６は、装置、対象物１００又はフレーム１０２への追加時に、それぞれのモジュール１０６と、モジュールが嵌合する他のモジュールとの間の１つ又は複数の電気的接触又は無線通信を介しての電気的／電磁気的／電子的通信の結果として、それぞれの装置、対象物１００又はフレーム１０２により用いられ得る。
【００５１】
例えば、すでに利用可能な電子通信手段を、有線又は無線により用いることにより、例えば、コア１１２とコアに対して遠く離れたディスプレイ１１６の機器との間の通信に対して、１つのモジュール１０６は、このモジュールと一体化されている必要がない別のモジュール１０６に影響し得る。
【００５２】
任意に、コンポーネントを含む各そのようなモジュール１０６は、それぞれのフレーム又は対象物におけるモジュールの役割との関連で、すでに利用可能な装置又は機器モジュールを含み得る。例えば、追加の処理モジュール１１２は、フレーム１０２の処理能力を改善するように含まれてもよい。
【００５３】
例示としての実施形態では、対象物１００用のフレーム１０２は、対象物に電流を配電するよう動作するケーブル１３２を備えてもよく、ケーブル１３２は、１つ又は複数のコネクタ１３４と、ケーブル１３２をカプセル化するカプセル化配置とを備える。好適には、１つ又は複数のコネクタ１３４及びケーブル１３２は、互いに分離可能である。
【００５４】
フレーム１０２又は対象物１００のパワーコード１３０であってもよいケーブル１３２はモジュール式構造又は変更可能である。例えば、ケーブル１３２の最外カプセル化は可変であってもよく、コネクタ１３４は、当業者に知られているＵＳＢコネクタ又は任意の他のコネクタなどの適切なコネクタに変更されてもよい。
【００５５】
パワーコード１３０は、パワーパック１２６又は中間部、例えばパワーパック１２６に電流を流すスタンド１２２又はクレードル１２４に直接接続してもよい。代替として、パワーコード１３０は、フレーム１０２を電源に接続してもよい。電源は、プラグ１３８を介して、最終的な電力の電源ポイント（例えば、壁コンセント）、充電器、又はＵＳＢポート又はコンピュータシステムなどの別の電力供給装置に接続するＡＣ−ＤＣ変圧器１３６の装置であってもよい。
【００５６】
好適には、フレーム１０２また対象物１００におけるパワーコード１３０による接続及び電源におけるパワーコード１３０による接続は、ＵＳＢジャック又はその等価物によってもなし得る。パワーコード１３０又はケーブル１３２は、ＵＳＢの代替物、代用物又は後継物は、電子器具、他の装置、コンピュータ又は対象物１００用のフレーム１０２の何れかの間で十分な電流を流すのに有効であっても又は有効になってもよいために、ＵＳＢジャックと同じ目的で、そのようなＵＳＢの代替物及び／又は代用物及び／又は後継物を用いてもよい。
【００５７】
カプセル化部は、リボン内に電線をカプセル化してもよく、従ってリボンは、製造業者、商社又は一般人である人間、又は機械により、自己完結型絶縁電線から分離可能（取り付け可能及び取り外し可能）である。そのリボンは、透明な、色を有する、又は別の色を有する材料から成っていてもよい。電線は自己完結型であり、ゆえに、リボンの分離性はこの電線には影響しない。
【００５８】
いくつかの例示としての実施形態では、カプセル化は電子的に制御可能である。例えば、カプセル化の外観の変化は、異なるカプセル化材料における選択を可能にするカプセル化電線からのカプセル化の分離性により、又は電子的指示により実現されてもよく、後者は、例えば、カプセル化材料に対するかなり低い電圧の変化によりカプセル化材料を発光性にすること、又は発光ダイオード（ＬＥＤ）の利用、又は電気化学反応により、カプセル化材料が電子的に可変又は制御可能であり得るのに十分な材料を含む限りにおいて、そうである。好適には、カプセル化の外観の変化は、手動で又は自動的に影響されてもよく、又は、フレーム又は対象物のコントローラモジュールにより影響されてもよく、又は、カプセル化物又はケーブル１３２との通信において何れかの他のコントローラモジュールにより影響されてもよい。
【００５９】
図２を参照するに、対象物用のフレーム１０２の実施形態であって、１つ又は複数の取り外し可能な機能モジュール１０６は、フレーム体１０４を嵌合するように寸法決めされたフレーム嵌合可能なアイテム１４０である、実施形態が提供される。
【００６０】
この実施形態では、フレーム嵌合可能なアイテム１４０は、フレーム体１０４により囲まれた（encompass）空領域（empty area）に適合する寸法を有してもよく、ゆえに、フレーム嵌合可能なアイテム１４０は空領域を満たす。例えば、表示画面は、デジタル・フォト・フレームにおいてフレームを嵌合させてもよい。
【００６１】
好適には、フレーム体１０４は、少なくとも１つのフレーム嵌合可能なアイテム１４０をフレーム体１０４に分離可能に取り付けるように配置された１つ又は複数の取り付け手段を備え、取り付け手段は、フレーム体１０４及びフレーム嵌合可能なアイテム１４０を取り付ける機構を提供する一方、取り付け手段の以下の実施形態の１つ、一部の組み合わせ又はすべての組み合わせにより、それらの取り付け手段を互いから移動させることを可能にする。
【００６２】
図３Ａを参照するに、可逆的な舌及び溝嵌合部２０２である取り付け手段の実施形態、即ち、嵌合部がフレーム１０２の正面の外観を損なわないように、フレーム１０２の裏面から嵌合部を導くオプションにより、フレーム体１０４及びフレーム嵌合可能なアイテム１４０を一緒に確実に保持するように、フレーム体１０４のカーブアウト（carve-out）及びフレーム嵌合可能なアイテム１４０の周囲の両方における（例えば、フレームのコーナー１４２及びフレーム嵌合可能なアイテムのコーナー１４４の各々における）十分な数の点が、提供される。
【００６３】
この実施形態では、舌形状取り付け手段２０４は、フレーム嵌合可能なアイテムのコーナーに設けられ、フレーム体１０４及びフレーム嵌合可能なアイテム１４０が一緒に取り付けられるように、フレーム体１０４における対応する位置に設けられた溝２０６に嵌合してもよい。フレーム嵌合可能なアイテム１４０は、後に、舌及び溝嵌合部２０２を外すことにより、フレーム体１０４から取り外されてもよい。代替として、溝２０６及び舌２０４の対応する位置は交換可能であってもよい。
【００６４】
いくつかの実施形態では、取り付け手段は、柔軟な締結部、例えば、適切な力でメスに／からオスの挿入及び取り外しを可能にするプラスチック製のオス−メス締結部であってもよく、フレーム及び嵌合可能なアイテムを一緒に保持するのに十分に安全である。
【００６５】
いくつかの他の実施形態では、取り付け手段は、フレーム体１０４及びフレーム嵌合可能なアイテム１４０を接合し、接着部２１２の緩和までずっとそのままの状態を保つのに、又は、フレーム体１０４及びフレーム嵌合可能なアイテム１４０を引き離すことにより接着部２１２を緩和するのに十分な大きさの力を加えるときに、フレーム体１０４及びフレーム嵌合可能なアイテム１４０の分離性を可能にする接着部２１２であってもよい。接着部２１２は、分離可能な接着部を実現するのに適した、適切な粘着質の物質又は何らかの有機媒体によって実現され得る。
【００６６】
好適には、分離可能接着部２１２はまた、フレーム体１０４又はフレーム嵌合可能なアイテム１４０の少なくとも１つの磁気媒体又は電磁気媒体であり、フレーム体１０４又はフレーム嵌合可能なアイテム１４０の他においては磁気感応補足部を有してもよい。磁性は、磁気媒体に固有であり、ゆえに、適切な力を加えるときに接着部になおも分離性が受け入れ可能であるようにし得、又は、十分な電流により活性化され得る。フレーム嵌合可能なアイテムが電力を伝達する限り、フレーム嵌合可能なアイテム１４０により又はそれを通って、又は、電流が電力を伝達する限り、フレーム体１０４により又はそれを通って、電流は磁気媒体に供給され得る。電流は、電磁媒体が存在するのがフレーム体１０４又はフレーム嵌合可能なアイテム１４０のどちらにであっても、配電されてもよい。
【００６７】
図３Ｂを参照するに、接着手段２１２の連続的なストリップである取り付け手段の実施形態であって、接着部２１２は、フレーム体１０４及びフレーム嵌合可能なアイテム１４０を一緒に接合し、接着部２１２の緩和までずっとそのままの状態を保つのに、又は、フレーム体１０４及びフレーム嵌合可能なアイテム１４０を引き離すことにより接着部２１２を緩和するのに、十分な大きさの力を加えるときに、フレーム体１０４及びフレーム嵌合可能なアイテム１４０の分離性を可能にする、実施形態が提供される。
【００６８】
代替として、図３Ｃを参照するに、接着手段２１４の１つ又は複数の部分ストリップである取り付け手段の実施形態が提供される。図２Ｂに示す実施形態と同様に、取り付け手段２１４は、フレーム体１０４及びフレーム嵌合可能なアイテム１４０を一緒に接合し、接着部２１４の緩和までずっとそのままの状態を保つのに、又は、フレーム体１０４及びフレーム嵌合可能なアイテム１４０を引き離すことにより接着剤２１４を緩和するのに、十分な大きさの力を加えるときに、フレーム体１０４及びフレーム嵌合可能なアイテム１４０の分離性を可能にする。代替として、取り付け手段は、複数のスポットに設けられてもよい。
【００６９】
図３Ｄを参照するに、フレーム体１０４又はフレーム嵌合可能なアイテム１４０の少なくとも１つに組み込まれた実施形態の取り付け手段２２２が示されている。そのような配置は、フレーム体１０４又はフレーム嵌合可能なアイテム１４０に常駐するように配置された磁気媒体又は電磁媒体に特に有利であるが、それらに限定されない。
【００７０】
好適には、接着手段の導入は、接着部を設けるための要求に応じて、各々の対応する点に、又は、各々の補足点において、複数の構成、即ち、（ａ）フレーム体１０４のみ、（ｂ）フレーム嵌合可能なアイテム１４０のみ、又は（ｃ）フレーム体１０４及びフレーム嵌合可能なアイテム１４０の両方、のうちの１つにおいてあり得る。
【００７１】
好適には、締結部又は接着手段のタイプに応じて、１つ又は複数の締結部又は接着媒体は、締結部又は接着手段の次の導入、即ち、（ａ）フレーム体１０４におけるカーブアウトの内側の端部に沿った、（ｂ）フレーム体１０４の後ろへの、（ｃ）フレーム嵌合可能なアイテム１４０の周縁部の端部に沿った、（ｄ）フレーム体１０４の後ろに適合し得るフレーム嵌合可能なアイテム１４０の表面上への、（ｅ）フレーム体１０４内への、（ｆ）フレーム嵌合可能なアイテム１４０内への、導入の置き換えの何れかにおいて、常駐してもよい。
【００７２】
代替として、取り付け手段はまた、複数のアイテム、対象物又は部品を取り外し可能に係合するように配置された任意の他の既知の取り付け手段であってもよい。任意に、複数の取り付け手段は、フレーム体１０４とフレーム嵌合可能なアイテム１４０との間の取り付けの安全性を高めるように、フレーム体及び／又はフレーム嵌合可能なアイテム１４０の各々における複数の位置に設けられてもよい。
【００７３】
いくつかの例示としての実施形態では、接着方法に関連して、接着要素は、（ａ）フレーム体１０４の製造中又は製造後に拘らず、フレーム体１０４のカーブアウトの周囲に、他方、フレーム嵌合可能なアイテム１４０の製造中又は製造後には、フレーム嵌合可能なアイテム１４０に、接着要素のスポット又は接着要素を含むストリップを付けるステップ、（ｂ）接着手段がフレーム体１０４及びフレーム嵌合可能なアイテム１４０の両方に補足物を必要とするときはいつでも、同様に、上述のように、フレーム体１０４に接着要素のスポット又は接着要素を含むストリップを付けることに加えて、フレーム嵌合可能なアイテム１４０の製造中又は製造後には、フレーム嵌合可能なアイテム１４０の周囲に接着要素のスポット又は接着要素を含むストリップを付けるステップ、並びに（ｃ）磁気媒体を用いるときはいつでも、フレーム体１０４のカーブアウトの周囲に接着要素を付けるというより、接着手段を隠すように、その周囲内に接着要素を、及びフレーム嵌合可能なアイテム１４０の周囲内に補足物を埋め込み、フレーム体１０４及びフレーム嵌合可能なアイテム１４０に関してはその逆にするステップ、を含む複数の様式のうちの１つにより、それぞれの表面に位置付けられてもよいが、それらに限定されない。
【００７４】
フレーム体１０４及びフレーム嵌合可能なアイテム１４０を取り付ける上述の方法の何れかと共に、次の代替の方法であって、（ａ）フレーム嵌合可能なアイテム１４０はフレーム体１０４内に入り込んでもよく、（ｂ）フレーム体１０４はフレーム嵌合可能なアイテム１４０内に入り込んでもよく、（ｃ）フレーム体１０４は、フレーム体１０４がフレーム嵌合可能なアイテム１４０を閉じるフレーム嵌合可能なアイテム１４０を含むように、ヒンジ上で顎状に開いて（フレーム体１０４の前面を損傷することを回避するようにフレーム体１０４内に隠されて）いてもよい、方法を含むがそれらに限定されない、代替の方法が提供され得る。
【００７５】
好適には、フレーム体１０４及びそれぞれのフレーム嵌合可能なアイテム１４０は、フレーム体１０４及びフレーム嵌合可能なアイテム１４０が互いに嵌合する限り、直方体でなくてもよい。更に、フレーム体１０４及びフレーム嵌合可能なアイテム１４０の分離性を実現するこれらの方法は、さまざまなフォームファクタがあり得る。
【００７６】
締結部又は接着部の場合には、上述の実施形態で提供されているように、締結部又は接着部を閉じる又は外すのに必要な適切な力は、一般人又は機械が締結部又は接着部を閉じている又は外しているに拘らず、それに調和して、締結部又は接着手段の仕様により、設定されてもよい。
【００７７】
好適には、電流は、フレームがそのような機能を提供する場合に、フレーム体１０４のエネルギー要求機能を付与するように供給されてもよい。この必要な電流は、フレーム嵌合可能なアイテム１４０、そのアイテムを有する機器、他の装置又はコンピュータの何れかにより、それを介して、又はそれから、１つの機器、他の装置又はコンピュータから別のものに電流を供給する通常利用可能な手段を介して、又はフレーム体１０４自体内から、例えば、１つ又は複数の電池、太陽エネルギー装置又は壁面コンセントにより、供給されてもよい。
【００７８】
好適には、より大きいフレーム体１０４及び第２のより小さいフレーム体１０４は、より大きいフレーム体１０４が最終フレーム嵌合可能なアイテム１４０とも嵌合するか否かに拘らず、互いに嵌合し得る一方、例えば、限定的でなく、より大きいフレーム体１０４はそのアセンブリを固定し、より小さいフレーム体１０４は、フレーム嵌合可能なアイテム１４０の美的付加、機能付加又は互換性を、又は、最終フレーム体１０４及び最終フレーム嵌合可能なアイテム１４０のカーブアウトの中間の異なる形状を提供する。代替として、より小さいフレーム体１０４はフレーム嵌合可能なアイテム１４０を固定するように配置されてもよく、より大きい美的フレーム体１０４はより小さいフレーム体１０４の周囲で嵌合してもよい。
【００７９】
例示としての実施形態では、フレーム体１０４及びフレーム嵌合可能なアイテム１４０は、機器、他の装置又はコンピュータの一部ではなく、例えば、メガネの一部として、１つのカバンの一部として、又は家具の一部として、対象物１００又は装置自体を構成してもよい。
【００８０】
図４Ａ及び４Ｂを参照するに、フレーム体１０４を嵌合する寸法を有するパン４００内に含まれる１つ又は複数の取り外し可能な機能モジュール１０６を備える対象物１００用のフレーム１０２の実施形態が提供される。この実施形態では、パン４００は、上述の実施形態で示されたフレーム嵌合可能なアイテム１４０とみなされてもよく、フレーム体１０４と嵌合する又はそれを取り付けるように配置される。任意に、互換性のあるフレーム体１０４との嵌合性の標準化又はカスタマイゼーションを容易化するように、パン４００に常駐するモジュール１０６又はコンポーネントはまた、モジュール方式であってもよく、パン４００自体もまた、モジュール方式であってもよい。
【００８１】
図５を参照するに、フレーム体を嵌合する寸法を有する構造５００内にスリーブ付けされた１つ又は複数の取り外し可能な機能モジュール１０６を備える対象物１００用のフレーム１０２の実施形態が提供される。この実施形態では、スリーブ５００は、上述の実施形態で示されたフレーム嵌合可能なアイテム１４０とみなされてもよく、フレーム体１０４と嵌合する又はそれを取り付けるように配置される。任意に、互換性のあるフレーム体１０４との嵌合性の標準化又はカスタマイゼーションを容易化するように、スリーブ５００に常駐するモジュール１０６又はコンポーネントはまた、モジュール方式であってもよい。
【００８２】
例えば、標準化は、スリーブ５００内のディスプレイ１１６（例えば、スクリーン）の機器を常駐させることにより実現されてもよい。従って、（ａ）フレーム体１０４の製造業者、組み立て業者又は販売業者がその仕様を認識しているスリーブ５００内にディスプレイ１１６の機器が載置されている限り、フレーム体の製造業者、組み立て業者又は販売業者がフレーム体１０４と嵌合するディスプレイ１１６の機器の種々の大きさを見込む必要があること、及び（ｂ）スリーブ５００がフレーム体１０４が関連する仕様の１つである限り、フレーム１０２、機器、他の装置又は対象物１００の製造業者、組み立て業者又は販売業者が任意のフレーム体１０４の仕様を見込む必要があること、の両方を排除するように、スリーブ５００は、互換性のあるフレーム体１０４を伴って、中間に位置する。この効果は、フレーム体１０４の変化についてのフレーム嵌合性の実現において、フレーム体１０４の製造業者、組み立て業者及び販売業者、並びにフレーム１０２、対象物１００、機器、他の装置及びコンピュータの製造業者、組み立て業者及び販売業者への非依存性を可能にする。
【００８３】
代替として、図４Ａ及び４Ｂに示すパン４００は、互換性のあるフレーム体１０４との嵌合性の標準化又はカスタマイゼーションを容易化するように、図５に示すスリーブ５００に常駐してもよく、その逆であってもよい。
【００８４】
いくつかの例示としての実施形態では、対象物１００用のフレーム１０２は、フレーム体１０４に取り外し可能に取り付けられるように配置された１つ又は複数の外部モジュール式構造を備えてもよく、外部モジュール式構造は、フレーム体１０４又は対象物１００に処理又はアクティブ機能を与えるように各々配置された１つ又は複数の外部取り外し可能な機能モジュールを含む。
【００８５】
この実施形態では、外部取り外し可能な機能モジュールは、例えば、フレーム１０２又は対象物１００に処理又はアクティブ機能を支援するようにフレーム１０２又は対象物１００の追加のエネルギー源を提供するように設けられたパワーモジュール１２６又は電池パックであってもよい。代替として、外部取り外し可能な機能モジュールは、フレーム１０２又は対象物１００のための追加のデータソース又は記憶容量を提供するように設けられた二次ストレージモジュール１１８であってもよい。
【００８６】
代替として、外部取り外し可能な機能モジュールは、パワーモジュール１２６、処理モジュール、コントローラモジュール、コア１１２、通信モジュール１１４、ディスプレイモジュール１１６、ストレージモジュール１１８、入力モジュール１２０、出力モジュール、フレームスタンド１２２、クレードル１２４又は空間占有ピースのうちの少なくとも１つを含んでもよく、外部取り外し可能な機能モジュールは、上述の実施形態における取り外し可能な機能モジュール１０６により与えられる機能に類似する、フレーム１０２又は対象物１００の処理又はアクティブ機能を提供するように配置されてもよい。
【００８７】
代替として、外部取り外し可能な機能モジュールは、フレーム体又は対象物に処理又はアクティブ機能を与えるようにフレーム１０２又は対象物１００の任意の他の外部取り外し可能な機能モジュール又は取り外し可能な機能モジュール１０６とインタラクト又は相互通信するよう動作可能であってもよい。
【００８８】
例示としての実施形態では、図１、図４Ａ及び図５を参照するに、フレーム体１０４は、配電される電流により電力供給され、ゆえに、フレーム１０２は、処理又はアクティブ機能を与えるよう動作可能である。
【００８９】
一実施例として、フレーム体１０４により提供される処理又はアクティブ機能はフレーム体１０４に与えられてもよく、このことは、任意の他のモジュール１０６又は対象物の機能に拘らない。フレームはまた、アクティブフレーム１０４又はスマートフレーム１０４及びフレーム嵌合可能なアイテム１４０を備える補足物、例えば、機器の表示画面１１６又はフレーム１０２を介して、対象物１００を補足する付加機能を提供してもよい。
【００９０】
この実施形態では、電流は、フレーム嵌合可能なアイテム１４０、取り外し可能な機能モジュール１０６又は外部取り外し可能な機能モジュールにより、それを介して又はそれから、フレーム体１０４に配電されてもよい。代替として、電流は、電源から直接発生するか、又はフレーム嵌合可能なアイテム１４０、取り外し可能な機能モジュール１０６又は外部取り外し可能な機能モジュールがフレーム１０２又は対象物１００の補足物であるときは、電源をタッピングしたそれぞれのフレーム１０２又は対象物１００におけるどこか別の場所を通して、フレーム嵌合可能なアイテム１４０、取り外し可能な機能モジュール１０６又は外部取り外し可能な機能モジュールを通る、電流の伝送のある組み合わせの結果として、フレーム体１０４に配電されてもよい。代替として、取り外し可能な機能モジュール１０６は、フレーム体１０４に電流を配電するよう動作するパワーモジュール１２６を含む。
【００９１】
代替として、パワーモジュール１２６は、フレーム体１０４に内蔵された又は取り付けられた電流発生装置である。例えば、フレーム体１０４は、再充電可能か外部電源に依存するかに拘らず、１つ又は複数の電池、太陽エネルギー装置又は他の独立したエネルギー発生装置を備えるかどうかに拘らず、フレーム内パワーパック又はフレーム一体型パワーパックにより電力供給される。
【００９２】
電力供給機構を組み込むフレーム体１０４により、他の電子装置（ＣＰＵなど）はフレーム体１０４に含まれてもよく、ゆえに、そのフレーム体を処理能力を有するフレーム体１０４とし、又は、導入される電子装置、機構又は機能モジュールの性質に依存する任意の他の機能としてもよい。
【００９３】
例示としての実施形態では、対象物１００用のフレーム１０２は、ユーザ識別（user identification）に関連してフレーム１０２をパーソナライズするようにユーザを識別するよう配置された識別モジュールを備えてもよい。識別モジュールは、例えば、任意のフレーム１０２、対象物１００、他の装置又はコンピュータ内であるか又はそれにおいてであるかに拘らず、機械可読コード又は外部から読み出し可能なコードを、又は、フレーム１０２、対象物１００、他の装置又はコンピュータにおけるソフトウェア内のコードを、それらに限定されずに、参照するフレーム１０２又は対象物１００の識別子（identifier）のディレクトリを含んでもよい。好適には、コードは、それぞれのフレーム１０２、装置、コンピュータ又は対象物１００を一意に識別する。
【００９４】
ユーザにより安全にアクセスされ、機械可読コード又は外部から読み出し可能なコードを読み出し得る、及びディレクトリと通信する手段にアクセスする電子機器により、そのようなコードを担うフレーム１０２、対象物１００、機械、他の装置又はコンピュータのユーザは、例えば、Ｗｏｒｌｄ−Ｗｉｄｅ  Ｗｅｂへのアクセスを有するコンピューティング装置又は遠隔制御を介してアクセス可能であるスマートフォン又はＷｏｒｌｄ−Ｗｉｄｅ  Ｗｅｂアカウントを介して、それぞれのフレーム又は機器とユーザにより入力される詳細データとをディレクトリが関連付けるように、中間の信頼済みの機器（intermediating trusted instrument）からディレクトリに、ユーザの個人詳細データと共に、そのような識別子をカジュアルに（casually）中継し得る。
【００９５】
図６を参照するに、仮想マシン６０２を構成するように通信ネットワークを介して１つ又は複数のフレーム１０２を接続するステップと、１つ又は複数のフレーム又は対象物１００の処理又はアクティブ機能を操作するよう仮想マシン６０２とインタラクトするステップとを含むフレーム１０２とインタラクトする方法の実施形態が提供される。
【００９６】
この実施形態では、１つ又は複数のフレーム１０２、装置又はコンピュータは通信ネットワークに接続され、仮想マシン（ＶＭ）６０２が構成される。そのような通信が、ＶＭ６０２を１つ又は複数のフレーム１０２、装置又はコンピュータに常駐させることからもたらされるか、ＶＭ６０２と、フレーム、機器、他の装置又はコンピュータとの間で、通常の遠隔通信手段を介して遠隔的に行われるかに拘らず、ＶＭ０２及び１つ又は複数のフレーム１０２、装置又はコンピュータは通信してもよい。好適には、動作、機能又は目的は、ＶＭ６０２が通信し得るフレーム１０２、装置又はコンピュータに理解可能であるように、ＶＭ６０２により規定され得る。好適には、ＶＭ６０２が関連するフレーム１０２、装置又はコンピュータは、ＶＭ６０２による規定と適合する能力を有する（例えば、装置又はフレーム１０２におけるメディアの提示の（再）編成において）。そのような通信ネットワークにおけるフレーム１０２、装置又はコンピュータは、提供されたＶＭ６０２に対して受け入れ可能なＶＭとみなされてもよい。
【００９７】
代替として、フレーム１０２とインタラクトする方法は、仮想マシン６０２を構成するように通信ネットワークを介して処理モジュール６０４に１つ又は複数のフレームを接続するステップを更に含んでもよい。例えば、１つ又は複数のフレーム１０２は、仮想マシン６０２を構成するように通信ネットワークを介して、電子機器、装置、対象物１００、別のフレーム１０２又はコンピュータに常駐する１つ又は複数の処理モジュール６０４に接続されてもよい。
【００９８】
ＶＭ６０２は、ＶＭ６０２がフレーム１２０、対象物１００、装置又はコンピュータに常駐しているときでさえ、関連フレーム１０２、対象物１００、装置又はコンピュータから独立して離散的に存在してもよい。代替として、仮想マシン６０２の少なくとも一部は、１つ又は複数のフレーム１０２の少なくとも１つに常駐する。
【００９９】
好適には、ＶＭ６０２により用いられるソフトウェアコードは、ＶＭ６０２により影響されるフレーム１０２、装置又はコンピュータが特定のソフトウェア言語の使用からもたらされる規定と適合し得る限り、そのソフトウェア言語である必要はない。
【０１００】
更に、仮想マシン６０２は、仮想マシン６０２、１つ又は複数のフレーム１０２又は対象物１００のうちの少なくとも１つにおけるデータの提示の前に、データを処理するよう配置された少なくとも１つの分散コンピューティングネットワーク６１２と通信するように動作可能である。
【０１０１】
図６を参照するに、データは、１つ又は複数のデータ源６１４、例えば、フレーム１０２、装置又はコンピュータとは異なるデータウェアハウスから仮想マシン６０２に供給されてもよく、このデータは、仮想マシン６０２、又は仮想マシン６０２と通信するフレーム１０２、装置又はコンピュータにこのデータが供給される前に、そのような分散コンピューティングネットワーク６１２又はクラウド・コンピューティング・ネットワークにより処理されてもよい。代替として、フレーム１０２、装置又はコンピュータに常駐するデータは、仮想マシン６０２、１つ又は複数のフレーム１０２又は対象物１００のうちの少なくとも１つにおけるデータの提示の前に、処理されて、分散コンピューティングネットワーク６１２によりフレーム１０２、装置又はコンピュータに戻されてもよい。
【０１０２】
更に、フレーム１０２、装置又はコンピュータは、分散コンピューティングネットワーク６１２の少なくとも一部が１つ又は複数のフレーム１０２及び／又は仮想マシン６０２に常駐するように、分散コンピューティングネットワーク６１２の一部を構成してもよい。
【０１０３】
フレーム１０２、対象物１００、装置又はコンピュータの製造において、これらのアイテムの変更は、終了した製造プロセスの後に限定されてもよく、又は、製造後の変更は不都合又は不経済であることがある。例えば、同じ目的、カテゴリ又はクラスのそのようなフレーム１０２、対象物１００、装置又はコンピュータは、製造の後期段階、組み立て又は製造後に拘らず、それらの変更において便利さ又は経済性の欠如が課せられた、高い均一性のために、つまらない外観を有することもある。いくつかの場合では、そのようなフレーム１０２、対象物１００、装置又はコンピュータは、一般に、製造後には、経済的（例えば、種々のバージョンの機器を届けるコストに関連して）、美的及び／又は他の種々の基準に適合するように、人間によってか、製造業者、販売業者又は顧客によってかに拘らず、あまり努力を伴わずに、あまり変更されない。
【０１０４】
デジタル・フォト・フレームなどのいくつかの装置又はメディアに関連する装置は、各機器を目的とする何らかの種類のコードに依存し得る。しばしば、そのようなコードはファームウェアである。例えば、そのコードは、機器、機器の種々のモデルの系列又は機器のクラスの何れかに特異的であってもよい。
【０１０５】
上記の実施形態は、対象物１００がフレーム体１０４を含む対象物の種々の機能モジュール、内部／外部コンポーネント又はモジュール、並びにケーブル１３２及びコネクタ１３４をカスタマイズすることにより変更されてもよいという点において有利である。例えば、フレーム体１０４及びフレーム嵌合可能なアイテム１４０の分離性を実現するいくつかの実施形態は、フレーム体１０４及びフレーム嵌合可能なアイテム１４０の種々のフォームファクタを収容し得る。そのような分離性は、ある人が、製造業者、販売業者又は顧客に拘らず、フレーム体１０４又はフレーム受け入れ可能なアイテムを破棄することなく、彼／彼女／それにとって利用可能になるために、フレーム体１０４を交換する効果と、残りのフレーム１０２、装置又は対象物１００の組み立て業者以外の代替の製造業者からもたらされてもよい様々なフレーム体１０４を幅広く拡張し得る交換可能な効果とをもたらしてもよい。
【０１０６】
有利であることに、フレーム１０２、機器、装置又は対象物１００の重要な物理コンポーネントを装置又は対象物１００から内部又は外部交換可能にすることは、フレーム１０２、機器、装置又は対象物１００について、各そのようなコンポーネントが取り付け可能及び取り外し可能であるように、完成したパズルのピースのように、互いから離れている又はそれらの間でぴったり嵌合するようになっている、又はそれらのコンポーネントの一部が他から離れている及び一部がそれらの間でぴったり嵌合するようになっているに拘らず、そのようなコンポーネントの内部又は外部再嵌合可能モジュール方式を与える。
【０１０７】
モジュール方式を実現することにより、これらの実施形態は、複数の効果の多様性の１つ又は複数、例えば、フレーム１０２、対象物１００、装置又はコンピュータの製造、組み立て又は構成におけるコスト効率の改善をもたらすが、それらに限定されない。これらの実施形態は、顧客又は製造業者が、フレーム１０２、対象物１００、装置又はコンピュータを破棄する必要なく、取り外し可能な機能モジュール１０６などの他のモジュールを無駄にすることなく、重要なコンポーネントを更新してもよいように、顧客がそうした特定のクラスのフレーム１０２、対象物１００、装置又はコンピュータの種々の構成を得る（例えば、特定の通信の特徴を追加する）ための多くの選択肢を提供し得る。
【０１０８】
これらの実施形態では、全機器、フレーム１０２又は対象物１００を置き換える必要なく、従って破棄する必要なく、１つ又は複数の種々のモジュールをその改善されたモジュールのバージョンに置き換えることに基づいて、フレーム１０２、対象物１００、装置又はコンピュータのアップグレードを可能にしてもよい。
【０１０９】
これらの実施形態はまた、そのような分離性が、ある人が製造業者、販売業者又は顧客であるかどうかに拘らず、フレーム１０２、フレーム体１０４又はフレーム受け入れ可能なアイテムを破棄することなく、彼／彼女／それにとって利用可能になるためにフレーム体１０４を交換する効果をもたらすという点で、有利である。
【０１１０】
有利であることに、電力供給されるフレーム体１０４はアクティブ又はスマートであってもよく、これらのスマートフレーム１０４は、メディアに関連する装置であるか否かに拘らず、任意のフレーム嵌合可能なアイテム１４０に、例えば、規定又はＨＤ／３Ｄのメガネ、テレビジョンセット、モニタ、デジタル・フォト・フレーム又は広告用掲示板の一部として、１つのカバンの一部として、又は１つの家具の一部として、広く適用されるが、それらに限定されない。そのようなアクティブ又はスマートフレーム１０４は、アミューズメント及び／又はプロモーション、例えば、広告及び／又は機能性（例えば、ＮＦＣ、動き／光センサ又はイルミネーションを利用することにより）の対象物になり得る。
【０１１１】
図３Ａ乃至３Ｄに示す取り付け手段の実施形態のいくつかにおいては、これらの実施形態は、２つ又は３つ以上の取り外し可能な機能モジュール１０６間の、又は対象物１００又はフレーム１０２におけるフレーム体１０４とフレーム嵌合可能なアイテム１４０との間の、例えば、コンテンツのディスプレイ１１６の機器と対象物１００又はフレーム１０２のそれぞれのフレーム体１０４との間の分離性において有利である。そのような取り付け手段を有するモジュール及びフレーム体は、フレーム１０２、対象物１００、装置又はコンピュータがカスタマイズされるときに、機能モジュールが変更される又は切り換えられることを可能にしてもよい。
【０１１２】
いくつかの実施形態では、変更可能パワーコード１３０又はケーブル１３２を含むことで、フレーム１０２、対象物１００、装置又はコンピュータは、様々なユーザ及びアプリケーションに対してカスタマイズされてもよい。パワーコード１３０又はケーブル１３２は、種々のコネクタを有する種々のパワー・アダプタ１３６などの種々のアプリケーションと嵌合するように、分離可能なコネクタ１３４及び種々のカプセル化を変更することによりカスタマイズされてもよく、又は、カプセル化物の色／材料／長さが様々なユーザの様々な嗜好のために変更されてもよい。
【０１１３】
有利であることに、フレーム１０２、対象物１００、装置又はコンピュータのいくつかの実施形態は、ユーザの個人的詳細データをフレーム１０２、対象物１００、装置又はコンピュータに入れる必要なく、機器を介してアクセス可能なサービスを含むフレーム１０２、対象物１００、装置又はコンピュータの１つ又は複数の特徴又は機能のパーソナライゼーションを可能にするが、それらに限定されず、従って、ユーザの個人的詳細データを対象フレーム１０２、対象物１００、装置又はコンピュータに埋め込むことなく、ユーザの信頼を維持しながら、パーソナライゼーションを実現してもよい。
【０１１４】
図６を参照するに、フレーム１０２、対象物１００、装置又はコンピュータは、製造プロセス後に変更されてもよい仮想マシン６０２を動作／操作してもよい。例えば、製造業者、販売業者又は顧客である人又は機械は、遠隔的であるか直接的であるかに拘らず、ＶＭ６０２を更新する。更に、製造業者、販売業者又は顧客に拘らず、ある人は、フレーム１０２、対象物１００、装置又はコンピュータ（例えば、適切な「スマートフォン」、「タブレット」及び他のコンピュータ）を含む、受け入れＶＭにおいて、及び当業者に知られている任意の他の装置において、ＶＭ６０２のコピーを実行してもよい。
【０１１５】
人は、提供された実施形態の１つに従って、ＶＭ６０２を用いることにより動作又は機能のある性能をエミュレートしてもよい。人は、１つの機器又はフレーム１０２、対象物１００、装置又はコンピュータ上のＶＭ６０２と、別のフレーム１０２、対象物１００、装置又はコンピュータにおける適合ＶＭ６０２との間の通常利用可能な通信の何らかの手段又は別の手段を介して何らかの他のＶＭ常駐機器又はフレーム１０２、対象物１００、装置又はコンピュータに影響を与えてもよい。人はまた、ＶＭ６０２により配置されたマシン・ツー・マシン通信により提示されるコンテンツ、記録又は命令などのデータのパッシブレセプタクル、その人とフレーム１０２、対象物１００、装置又はコンピュータとの間に直接通信が存在する何れかの人により導入される相互作用レセプタクル、又は、１つ又は複数の他のフレーム１０２、対象物１００、装置又はコンピュータに対するそのようなデータのパブリッシャに限定されないが、それらを含むＶＭ常駐フレーム１０２、対象物１００、装置又はコンピュータをある二者択一の状態にすぐにしてもよい。これらの状態は、例えば、状態のコマンドのボタン又はシンボルに触れること、又はＶＭ６０２によりルールのセット又はリモートコマンドを参照することにより、選択可能であってもよい。
【０１１６】
有利であることに、ＶＭ６０２を受け入れる機器、フレーム１０２、対象物１００、装置又はコンピュータをすでに有する人は、製造業者、販売業者又は顧客に拘らず、機器、フレーム１０２、対象物１００、装置又はコンピュータがＶＭ６０２を欠いている場合、機器、フレーム１０２、対象物１００、装置又はコンピュータに対して／内にＶＭ６０２を取り付けてもよく、又はＶＭ６０２のバージョンが、機器、フレーム１０２、対象物１００、装置又はコンピュータに既に常駐している場合、ＶＭ６０２を更新してもよい。
【０１１７】
分散コンピュータネットワーク６１２により補足された仮想マシン６０２は、ＶＭ６０２が関連する機器、フレーム１０２、対象物１００、装置又はコンピュータにおいて、ＶＭ６０２によって施される規定に関連して、そのようなデータを処理する必要性を緩和することが、ＶＭ６０２の利用からの恩恵を享受し得る機器、フレーム１０２又は対象物１００の範囲をかなり拡大する点で、有利である。
【０１１８】
例示としての一実施形態では、図１を参照するに、メディア１００に関連する装置は、１つ又は複数の上記実施形態による装置であって、一組のフレーム体１０４の間で切り換える可能性を有する少なくとも１つのフレーム１０２と、ディスプレイ１１６の少なくとも１つの機器、又は切り換えるためのディスプレイ１１６の更に異なる機器であって、ディスプレイ１１６の機器はスリーブ５００、パン４００又はそれら両方に常駐してもよい、機器と、ＶＭ６０２を含むコア１１２と、ＳＩＭ装置コンテナ、ネットワークアダプタ装置コンテナ又はＮＦＣ装置コンテナ、又はＳＩＭ装置、ネットワークアダプタ装置及びＮＦＣの２つ又は３つ以上を含むコンテナ、又は置換物の何らかの組み合わせのうちの少なくとも１つを含むネットワークモジュール１１４と、ＡＣ−ＤＣ変圧器、１つ又は複数の電池、又は太陽エネルギー装置のうちの任意の１つを含むパワーパック１２６コンテナと、固定された又は調節可能なスタンド１２２又はクレードル１２４と、分離可能なコネクタ１３４を有し、プラグ１３８により変圧器１３６と接続するように配置されたパワーコード１３０と、機械可読コード及び／又は外部から読み出し可能なコードを識別するように動作可能な識別モジュールとを備える、装置が提供される。
【０１１９】
本発明の趣旨から逸脱することなく、対象物用のフレームは任意の対象物に内蔵又は嵌合可能とされてもよい。これらの対象物は、フォトフレーム、電子スクリーン上のデジタル写真を表示するアプリケーション、モニタ、メディアを提示するコンピュータ、電話のハンドセット、携帯音楽プレーヤ、テレビジョンセット、モニタ、特定のウェアラブル個人装備品、スマートグラス、広告掲示板（アナログ、デジタルに拘らず）又はメディアに関する任意の他のアプリケーションを含むが、それらに限定されない、メディアに関連する任意の装置であってもよい。
【０１２０】
広範囲に亘って記載されている本発明の趣旨又は範囲から逸脱することなく、特定の実施形態において示されている本発明に対して、多くの変形及び／又は修正がなされてよいことを当業者は理解できるであろう。従って、本発明の実施形態は、すべての点で例示であり、限定的でないとみなされるべきである。
【０１２１】
本明細書に含まれる従来技術への如何なる参照も、別段の指示がない限り、その情報が一般的知識であるという承認として捉えられるべきではない。
【図１】
2016510143.tif 000003
【図２】
2016510143.tif 000004
【図３Ａ】
2016510143.tif 000005
【図３Ｂ】
2016510143.tif 000006
【図３Ｃ】
2016510143.tif 000007
【図３Ｄ】
2016510143.tif 000008
【図４Ａ】
2016510143.tif 000009
【図４Ｂ】
2016510143.tif 000010
【図５】
2016510143.tif 000011
【図６】
2016510143.tif 000012
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
対象物用のフレームであって、前記対象物と取り外し可能に係合し、前記対象物を支持し、又は前記対象物と共に動作するように配置されたフレーム体を備え、前記フレーム体は、１つ又は複数の機能モジュールを備え、前記１つ又は複数の機能モジュールの各々は、前記フレームが前記対象物と係合し、前記対象物を支持し、又は前記対象物と共に動作しているときに、前記フレーム体又は前記対象物に処理又はアクティブ機能を与えるように配置され、前記フレーム体は更に、前記対象物を少なくとも部分的に囲繞又は包囲するように配置されている、フレーム。
【請求項２】
前記１つ又は複数の機能モジュールの少なくとも２つは更に、前記フレーム体又は前記対象物に前記処理又はアクティブ機能を与えるように互いにインタラクトするよう配置されている、請求項１に記載のフレーム。
【請求項３】
前記１つ又は複数の機能モジュールの少なくとも２つは、モジュール式の機能配置を与えるように互いに相互通信するよう配置されている、請求項１に記載のフレーム。
【請求項４】
前記フレーム体は、前記フレーム体又は前記対象物に前記処理又はアクティブ機能を与えるように前記フレーム体に配電される電流により電力供給される、請求項１に記載のフレーム。
【請求項５】
前記機能モジュールは、前記フレーム体に前記電流を配電するように動作可能であるパワーモジュールを備える、請求項４に記載のフレーム。
【請求項６】
前記１つ又は複数の機能モジュールは、前記フレーム体を嵌合するように寸法決めされたフレーム嵌合可能なアイテムを含む、請求項１に記載のフレーム。
【請求項７】
請求項１に記載のフレームとインタラクトする方法であって、
−  仮想マシンを構成又は増強するように通信ネットワークを介して１つ又は複数のフレームを接続し、
−  前記１つ又は複数のフレーム又は対象物の前記処理又はアクティブ機能を操作するように前記仮想マシンとインタラクトする
ステップを含む方法。
【請求項８】
前記仮想マシンを構成するように前記通信ネットワークを介して処理モジュールに前記１つ又は複数のフレームを接続するステップを更に含む、請求項７に記載のフレームとインタラクトする方法。
【請求項９】
前記仮想マシンは、前記仮想マシン、前記１つ又は複数のフレーム又は前記対象物のうちの少なくとも１つにおけるデータの提示の前に、前記データを処理するように配置された少なくとも１つの分散コンピューティングネットワークと通信するよう動作可能である、請求項７に記載のフレームとインタラクトする方法。
【請求項１０】
前記フレーム体に前記フレーム嵌合可能なアイテムを取り外し可能に係合するように配置された取り付け手段を更に備える、請求項６に記載のフレーム。
【請求項１１】
前記フレーム体に取り外し可能に取り付けるように配置された外部モジュール式構造を更に備え、前記外部モジュール式構造は、１つ又は複数の外部機能モジュールを備えるように配置され、前記１つ又は複数の外部機能モジュールの各々は、前記フレーム体又は前記対象物に前記処理又はアクティブ機能を与えるように配置されている、請求項１に記載のフレーム。
【請求項１２】
前記フレーム体は、取り外し可能なスタンドに取り外し可能に取り付けられ、前記取り外し可能なスタンドは、一部分又は全体のフレーム体の大きさの変更を適応させるよう手動で又は自動的に拡張可能である、請求項１に記載のフレーム。
【請求項１３】
前記フレームのユーザの同一性を前記フレームの同一性と関連付けることを容易化するよう配置された識別配置を更に備える、請求項１に記載のフレーム。
【請求項１４】
前記識別配置は、外部の認証済み装置を介してユーザ識別情報を取得することで、前記ユーザの同一性を前記フレームの同一性と関連付けるように配置されている、請求項１３に記載のフレーム。
【請求項１５】
前記フレーム体は、物理的接触又は係合なしに前記対象物と共に動作するように配置されている、請求項１に記載のフレーム。
【国際調査報告】
2016510143.tif 000013
2016510143.tif 000014